(57)【要約】【課題】  骨伝導無線受信機を用いることにより、特定の居住者のみ、或いは聴力に障害のある人への呼出報知を可能とする。【解決手段】  インターホン親機２は、インターホン子機１からの呼出信号、トイレ／バスに設置された外部呼出装置６からの呼出信号を受信したら、呼出元に応じて予め設定された呼出動作をする。例えば、外部呼出装置６からの呼び出しの場合は、無線送信機３を介して骨伝導無線受信機４のみへ呼出信号を送信するよう設定することで、骨伝導無線受信機４を携帯した利用者にのみ呼び出しが成され、プライバシーを保護できる。【選択図】  図１
2007150739.tif 000002
【特許請求の範囲】
【請求項１】
居住者を呼び出す為に玄関に設置されたインターホン子機と、前記インターホン子機からの呼び出しに応答するためのインターホン親機と、前記インターホン親機に接続されて呼出信号を無線送信する無線送信機と、前記無線送信機からの呼出信号を受信して呼出動作する携帯可能な骨伝導無線受信器とを有し、
前記インターホン親機は、前記インターホン子機からの呼出信号を受信したら、或いはトイレ／バスに設置された呼出装置や防犯センサ等の外部呼出装置が接続されている場合はその呼出信号を受信したら、前記無線送信機を介して前記骨伝導無線受信機へ呼出信号を送信して、前記骨伝導無線受信機を携帯した利用者に対して呼び出しを通知することを特徴とするインターホン装置。
【請求項２】
前記インターホン親機は、受信する前記呼出信号の種類に応じて前記無線送信機を介して前記骨伝導無線受信機へ呼び出しをするか否かを設定する呼出設定手段と、前記呼出設定手段により設定した設定情報を記憶する呼出記憶手段とを備え、前記骨伝導無線受信機へ呼出信号を送信する場合には、前記インターホン親機での呼出報知を禁止する制御をおこなう制御手段を備えたことを特徴とする請求項１記載のインターホン装置。
【請求項３】
看護師を呼び出すためのナースコール子機と、ナースコール子機からの呼び出しに応答するためのナースコール親機と、呼出信号を無線送信する無線送信機と、前記無線送信機からの呼出信号を受信して呼出動作する携帯可能な骨伝導無線受信機とを有し、前記骨伝導無線受信機は、前記ナースコール子機及びナースコール親機の少なくとも何れか一方から前記無線送信機を介して呼び出しが可能であることを特徴とするナースコールシステム。
【請求項４】
前記ナースコール親機からの呼び出しが、前記骨伝導無線受信機を携帯した患者に対する個別呼び出しの場合には、前記ナースコール子機からの呼び出しを停止して前記骨伝導無線受信機のみ報知させ、一斉放送或いは病室別放送においては病室スピーカおよび／またはナースコール子機から報知させると共に、前記骨伝導無線受信機からも報知させることを特徴とする請求項３記載のナースコールシステム。
【請求項５】
呼出信号を無線送信する無線送信機と、常時所定の無線信号を出力すると共に前記無線送信機からの呼出信号を受信して呼出動作する複数の携帯可能な骨伝導無線送受信機と、前記骨伝導無線送受信機の発する所定の無線信号を受信してその接近を検知する通過検知機と、これらを制御する徘徊報知制御機とを有し、
前記骨伝導無線送受信機を携帯した徘徊者が、前記通過検知機に接近したら前記通過検知機がそれを検知して前記徘徊報知制御機に信号を出力し、前記徘徊報知制御機はその信号を受けて、前記通過検知機に接近した骨伝導無線送受信機に対して呼出報知を行うことを特徴とする徘徊報知システム。
【請求項６】
前記徘徊報知制御機は、前記骨伝導無線送受信機ごとに、通過検知機が前記骨伝導無線送受信機の接近を検知したとき前記徘徊報知制御機と前記骨伝導無線送受信機の双方から呼出報知を行うか、前記骨伝導無線送受信機のみに呼出報知をおこなうかを設定する呼出設定手段、及び前記呼出設定手段により設定した設定情報を記憶する呼出記憶手段とを有し、設定内容に従い報知制御することを特徴とする請求項５記載の徘徊報知システム。
【請求項７】
前記通過検知機が前記骨伝導無線送受信機への接近を検知した際に、検知した前記骨伝導無線送受信機のみに呼出報知する設定となっている場合、
前記徘徊報知制御機は、前記通過検知機が徘徊者を検知してから一定時間経過しても前記骨伝導無線送受信機を装着している徘徊者が所定エリア内にいないと判断したら、前記徘徊報知制御機が報知動作することを特徴とする請求項５記載の徘徊報知システム。
【発明の詳細な説明】
【技術分野】
【０００１】
本発明は、特定の人のみを呼び出すことができ、また聴覚障害者や徘徊者であっても呼び出しができるインターホン装置、ナースコールシステム、及び徘徊報知システムに関する。
【背景技術】
【０００２】
例えばインターホン装置において、居室に設置されるインターホン親機に加えて無線式の副親機を設けたものがある（例えば、特許文献１参照）。このようなインターホン装置は、副親機を携帯可能とすることで居住者が移動する際に持ち歩けば、玄関に設置されたインターホン子機からの呼び出しがあった際、無理なくそれに応答することを可能としている。
一方で、従来の音圧型スピーカに換えて骨伝導スピーカを用いた補聴器や通話機器が開発されている。例えば、特許文献２では骨伝導スピーカを携帯電話に組み込んで、聴覚障害者であっても通話を可能としている。
【０００３】
【特許文献１】特開２０００−２２４３１６号公報
【特許文献２】特開２００４−１８７０３１号公報
【発明の開示】
【発明が解決しようとする課題】
【０００４】
しかしながら、インターホン副親機を無線式にして携帯できるようになっても、呼び出しは従来の拡声スピーカで行われるため、携帯した特定の人を呼び出そうとしても呼出音は付近にいる人が気づき、特定の人だけの呼び出しは不可能であった。例えば、夜間等特定の人のみ呼び出したい場合でも付近にいる人も呼び出しに気づき迷惑を掛ける場合があった。また、呼び出したい人が聴力に障害のある人の場合、拡声スピーカを使用して呼び出しても、スムーズな呼び出しができず、周囲の人に迷惑を掛けていた。
また、近年、病院や介護施設において徘徊者の管理が問題となっており、徘徊者に対して適切に戻ることを促すことができるインターホン装置（徘徊報知システム）があれば、看護師や介護者はいちいち徘徊者を探しに出かける労力を軽減できるし、徘徊者にとっても、危険な場所に出かけてしまうようなことが無くなる。
【０００５】
そこで、本発明はこのような問題点に鑑み、骨伝導無線受信機を用いることにより、特定の人、或いは聴力に障害のある人への呼び出しを可能とするインターホン装置、ナースコールシステムを提供し、更に徘徊者に対して呼び出しを掛けることができる徘徊報知システムを提供することを目的とする。
【課題を解決するための手段】
【０００６】
上記課題を解決する為に、請求項１の発明係るインターホン装置は、居住者を呼び出す為に玄関に設置されたインターホン子機と、インターホン子機からの呼び出しに応答するためのインターホン親機と、前記インターホン親機に接続されて呼出信号を無線送信する無線送信機と、無線送信機からの呼出信号を受信して呼出動作する携帯可能な骨伝導通無線受信器とを有し、インターホン親機は、インターホン子機からの呼出信号を受信したら、或いはトイレ／バスに設置された呼出装置や防犯センサ等の外部呼出装置が接続されている場合はその呼出信号を受信したら、無線送信機を介して骨伝導無線受信機へ呼出信号を送信して、骨伝導無線受信機を携帯した利用者に対して呼び出しを通知することを特徴とする。
この構成により、居住者或いは呼出対象が聴力に障害のある人、或いは難聴な人であっても容易に呼び出しが成されていることを知らせることができる。
【０００７】
請求項２の発明は、請求項１に記載の発明において、インターホン親機は、受信する呼出信号の種類に応じて無線送信機を介して骨伝導無線受信機へ呼び出しをするか否かを設定する呼出設定手段と、呼出設定手段により設定した設定情報を記憶する呼出記憶手段とを備え、骨伝導無線受信機へ呼出信号を送信する場合には、インターホン親機での呼出報知を禁止する制御をおこなう制御手段を備えたことを特徴とする。
この構成により、骨伝導無線受信機を装着している特定の人のみに周囲に知らせること無く呼び出しを掛けることができ、プライバシーを保護できる。
【０００８】
請求項３の発明に係るナースコールシステムは、看護師を呼び出すためのナースコール子機と、ナースコール子機からの呼び出しに応答するためのナースコール親機と、呼出信号を無線送信する無線送信機と、無線送信機からの呼出信号を受信して呼出動作する携帯可能な骨伝導無線受信機とを有し、骨伝導無線受信機は、ナースコール子機及びナースコール親機の少なくとも何れか一方から無線送信機を介して呼び出しが可能であることを特徴とする。
この構成により、骨伝導無線受信機は、ナースコール親機、或いはナースコール子機から呼び出しができ、聴力に障害のある患者であっても容易に呼び出しできるし、周囲の患者に迷惑を掛けずに呼び出しできる。
【０００９】
請求項４の発明は、請求項３に記載の発明において、ナースコール親機からの呼び出しが、骨伝導無線受信機を携帯した患者に対する個別呼び出しの場合には、ナースコール子機からの呼び出しを停止して骨伝導無線受信機のみ報知させ、一斉放送或いは病室別放送においては病室スピーカおよび／またはナースコール子機から報知させると共に骨伝導無線受信機からも報知させることを特徴とする。
この構成により、骨伝導無線受信機を装着した患者が、個別呼び出しの際にナースコール子機と骨伝導無線受信機の双方が同時に呼出動作することが無いので、患者が混乱するようなことがない。そして、一斉放送に対してはスピーカと骨伝導の双方で報知することで確実に患者に知らせることができる。
【００１０】
請求項５の発明に係る徘徊報知システムは、呼出信号を無線送信する無線送信機と、常時所定の無線信号を出力すると共に無線送信機からの呼出信号を受信して呼出動作する複数の携帯可能な骨伝導無線送受信機と、骨伝導無線送受信機の発する所定の無線信号を受信してその接近を検知する通過検知機と、これらを制御する徘徊報知制御機とを有し、骨伝導無線送受信機を携帯した徘徊者が、通過検知機に接近したら通過検知機がそれを検知して徘徊報知制御機に信号を出力し、徘徊報知制御機はその信号を受けて、通過検知機に接近した骨伝導無線送受信機に対して呼出報知を行うことを特徴とする。
この構成により、徘徊者が所定のエリアから外れて徘徊するような場合を検知して徘徊を止めるように促すことが可能となり、看護師や介護者の負担を軽減できる。また、この呼び出しは対象となる徘徊者のみに対して実施できるので、他の徘徊者や患者等が気づくことが無く、深夜であっても実施できる。尚、「通過検知機に接近したら」とは、通過検知機がゲート状の通過センサを備えている場合は、そのゲートの通過を含むものである。
【００１１】
請求項６の発明は、請求項５に記載の発明において、徘徊報知制御機は、骨伝導無線送受信機ごとに、通過検知機が骨伝導無線送受信機の接近を検知したとき徘徊報知制御機と骨伝導無線送受信機の双方から呼出報知を行うか、骨伝導無線送受信機のみに呼出報知をおこなうかを設定する呼出設定手段、及び設定手段により設定した設定情報を記憶する呼出記憶手段とを有し、設定内容に従い報知制御することを特徴とする。
この構成により、徘徊者に応じて報知動作を変更できるので、徘徊者の認知症等の状況に応じて夫々の徘徊者に適した対応が可能となり、管理者は対応し易くなる。
【００１２】
請求項７の発明は、請求項５に記載の発明において、通過検知機が骨伝導無線送受信機への接近を検知した際に、検知した骨伝導無線送受信機のみに呼出報知する設定となっている場合、徘徊報知制御機は、通過検知機が徘徊者を検知してから一定時間経過しても骨伝導無線送受信機を装着している徘徊者が所定エリア内にいないと判断したら、徘徊報知制御機が報知動作することを特徴とする。
この構成により、徘徊者が所定エリアから出たままであることを管理者等に知らせるので、徘徊者を放置するような状況を防ぐことができる。
【発明の効果】
【００１３】
本発明に係るインターホン装置によれば、居住者が聴力に障害のある人、或いは難聴な人であっても容易に呼び出しが成されていることを知らせることができる。また、骨伝導無線受信機を装着している特定の人のみに呼び出しを掛けることができ、プライバシーを保護できる。
また、本発明に係るナースコールシステムによれば、骨伝導無線受信機は、ナースコール親機、或いはナースコール子機から呼び出しができ、聴力に障害のある患者であっても容易に呼び出しできるし、周囲の患者に迷惑を掛けずに呼び出しできる。
また、本発明に係る徘徊報知システムによれば、徘徊者に応じて報知動作を変更できるので、徘徊者の認知症等の状況に応じて夫々の徘徊者に適した対応が可能となり、管理者は対応し易くなる。また、徘徊者が所定エリアから出たままであることを管理者等に知らせるので、徘徊者を放置するような状況を防ぐことができる。
【発明を実施するための最良の形態】
【００１４】
以下、本発明を具体化した実施の形態を、図面に基づいて詳細に説明する。最初に本発明に係るインターホン装置を説明する。図１は、インターホン装置の一例を示す構成図であり、１は玄関等に設置して来訪者が居住者を呼び出すためのインターホン子機、２はインターホン子機からの呼び出しに応答するためのインターホン親機、３は無線送信機、４は骨伝導スピーカを備え、無線送信機３からの送信電波を受信して呼出動作する複数の携帯可能な骨伝導無線受信機、５は外部スピーカ、６はトイレやバスに設置された呼出機或いは窓等に設置された防犯センサ等の外部呼出装置を示している。インターホン子機１、無線送信機３、外部スピーカ５、外部呼出装置６はインターホン親機２に接続されている。尚、７は骨伝導無線受信機４を携帯した居住者を示している。
【００１５】
そしてインターホン親機２は、複数の骨伝導無線受信機４の中から呼び出す骨伝導無線受信機４を設定操作する操作部１０と、設定情報を記憶する記憶部１１、インターホン子機１を接続する子機用Ｉ／Ｆ（インターフェイス、以下同様）１２、無線送信機３を接続する送信機用Ｉ／Ｆ１３、外部呼出装置６を接続する呼出機用Ｉ／Ｆ１４、外部スピーカ５を接続するスピーカ用Ｉ／Ｆ１５を有している。
【００１６】
このインターホン装置の動作は次のようである。インターホン子機１から呼び出しが成され、送出された呼出信号をインターホン親機２が受信すると、インターホン親機２及び外部スピーカ５で呼び出しが成されると共に、無線送信機３を介して骨伝導無線受信機４より呼び出しが成される。呼出動作する骨伝導無線受信機４は予めインターホン親機２の操作部１０で設定され、記憶部１１で記憶されており、個々の骨伝導無線受信機４に設定されたＩＤを選択することで設定される。
この呼び出しを受けてインターホン親機２で応答する場合は、従来の操作と同様にインターホン親機２の応答操作によりインターホン子機１との間で通話が形成される。
骨伝導無線受信機４を携帯した居住者が応答する場合は、呼び出しを受けたらインターホン親機２設置場所まで赴き、インターホン親機２を操作して応答する。この場合、インターホン親機２の操作部１０を所定の操作することで、インターホン子機１からの通話音声が骨伝導無線受信機４の骨伝導スピーカから伝えられ、聴力に障害のある居住者でも良好に通話することができる。
【００１７】
また、外部呼出装置６から呼び出しが成されたら、インターホン親機２、外部スピーカ５、全ての骨伝導無線受信機４で呼び出し動作させても良いし、予め設定した特定の骨伝導無線受信機４のみを呼び出す設定としても良い。例えば、防犯センサの警報動作に対してはインターホン親機２、及び全ての骨伝導無線受信機４を呼び出すよう設定すると良いし、トイレやバスに設置された呼出装置からの呼出信号である場合は、特定の骨伝導無線受信機４のみに呼び出しを掛けるよう設定すると都合がよい。全ての機器に呼び出しを掛ければ、呼び出しに対して速やかに対応することができるし、予め設定した特定の機器に呼び出しを掛ければプライバシーの保護が図れる。
【００１８】
このように、骨伝導無線受信機を使用することで、居住者が聴力に障害のある人、或いは騒音下にいる人であっても容易に呼び出しが成されていることを知らせることができる。また、骨伝導無線受信機を装着している特定の人のみに呼び出しを掛けることができ、プライバシーを保護できる。
【００１９】
次に、本発明のナースコールシステムを説明する。図２はナースコールシステムの一例を示す構成図であり、２０はプレート子機２０ａ及び呼出ボタン２０ｂから成り、看護師を呼び出すために各ベッド毎に設置されたナースコール子機、２１はナースステーションに設置されて患者からの呼び出しに応答するためのナースコール親機、２２はシステムを制御する制御機、２３は呼び出しを報知する廊下灯、２４は呼出信号を無線送信する無線送信機、２５は無線送信機２４からの呼出信号を受けて呼出動作する携帯可能な骨伝導無線受信機であり、図２は患者２７が骨伝導無線受信機２５を携帯している状態を示している。
ナースコール親機２１は、個々の患者情報を表示した患者ボード２１ａと、応答操作するためのハンドセット等を備えた通話部２１ｂ、及び操作部２１ｃを有し、ナースコール子機２０のプレート子機２０ａは、骨伝導無線受信機２５を呼び出すための呼出ボタン２６が設けられている。
【００２０】
このナースコールシステムの動作は次のようである。ナースコール子機２０の呼出ボタン２０ｂを押下した場合の呼出動作は従来と同様であり、廊下灯２３、制御機２２を介してナースコール親機２１にて呼び出しが報知される。同時にナースコール親機２１の患者ボード２１ａの呼出操作をしたナースコール子機２０に対応した患者表示部のランプが点灯動作する。この呼び出しを受けて看護師が通話部２１ｂで応答操作すると、呼出操作した患者のナースコール子機２０との間で通話路が形成され、通話が可能となる。
【００２１】
次に、骨伝導無線受信機２５を携帯した患者を呼び出す操作を説明する。ナースコール親機の操作部２１ｃを操作して骨伝導無線受信機２５の呼び出しができ、骨伝導無線受信機２５を携帯した患者に対する個別呼び出しを実施できる。この場合は、ナースコール子機２０からの呼び出しは行わず骨伝導無線受信機２５のみ呼出報知動作する。呼出操作により制御機２２は無線送信機２４から、呼出操作された骨伝導無線受信機２５のＩＤ情報を含む呼出信号を出力し、対応する骨伝導無線受信機２５のみが応答して呼出動作する。
このように、周囲に報知すること無く患者を個別に呼び出しできるし、聴力に障害のある患者に骨伝導無線受信機を携帯させれば、そのような患者であっても容易に容易に呼び出しでき、周囲の患者に迷惑を掛けないで済む。
【００２２】
一方で、ナースコール親機２１において一斉放送或いは病室別放送を実施した場合、病室スピーカ（図示せず）、ナースコール子機２０、更に骨伝導無線受信機２５からも報知される。尚、この場合、病室スピーカ或いはナースコール子機２０の何れか一方と骨伝導無線受信機２５で報知しても良い。
このように、同時に複数の患者を呼び出す場合には、骨伝導無線受信機も含めて呼出動作することで、患者がどのような状況であっても確実に呼び出し報知することができる。
【００２３】
また、ナースコール子機２０のプレート子機２０ａからも骨伝導無線受信機２５を呼び出すことができる。ベッド毎に設けられているプレート子機２０の呼出ボタン２６を押下すると、そのプレート子機ＩＤを制御機２２が検知して、対応したＩＤを有する骨伝導無線受信機２５を呼び出す。
このように、骨伝導無線受信機は、ナースコール子機からでも呼び出しができ、患者がベッドにいない場合に容易に呼び出しでき、看護師の負担を軽減できる。
【００２４】
次に、本発明の徘徊報知システムを説明する。図３、図４は徘徊報知システムの一例を示し、図３は構成図、図４は要部ブロック図である。図３に示すように、システムを制御する徘徊報知制御機３０、無線送信機３１、複数の携帯可能な骨伝導無線送受信機３２、徘徊者の接近を検知する通過検知機３３、外部スピーカ３４を備えている。尚、報知制御機３０から骨伝導無線送受信機３２を常時呼び出し可能である。３５は骨伝導無線送受信機３２を携帯した徘徊者を示している。
【００２５】
そして、図４に示すように、徘徊報知制御機３０はシステムを制御する制御機ＣＰＵ３７、個々の骨伝導無線送受信機３２のＩＤ及びＩＤ毎の設定を記憶するＩＤ情報記憶部３８、設定操作する操作部３９、無線送信機３１を接続する送信機用Ｉ／Ｆ４０、通過検知機３３を接続する検知機用Ｉ／Ｆ４１等を備えている。また無線送信機３１は、アンテナ４２を備えた無線送信回路４３、徘徊報知制御機３０に接続するためのＩ／Ｆ４４を有している。
【００２６】
骨伝導無線送受信機３２は、無線送信機３１の信号を受信するアンテナ４６を備えた無線受信機４７、骨伝導無線送受信機３２を制御する送受信機ＣＰＵ４８、自身の位置を知らせるための情報を無線発信するアンテナ４９を備えた無線送信機５０、骨伝導スピーカ５１及びその増幅機（ＳＰアンプ）５２を備えている。そして、無線送信機３１から呼出信号が送信されたら、その信号を受信して骨伝導スピーカ５１から呼出音を送出する。また、無線送信機５０からは自身のＩＤ情報を含むＩＤ信号を常時発信している。
【００２７】
通過検知機３３は、徘徊者の通過を検知する例えば赤外線センサから成るセンサ部５４、骨伝導無線送受信機３２の送信電波を検知するアンテナ５５を有する無線受信機５６、徘徊報知制御機３０を接続するＩ／Ｆ５７、通過検知機３３を制御する検知器ＣＰＵ５８を備え、所定の通路等に設置され、その設置場所を徘徊者３５が通過したら、徘徊者３５の通過を検知すると共に、その徘徊者３５が携帯している骨伝導無線送受信機３２が発信しているＩＤ信号を受信して通過した骨伝導無線送受信機３２を特定する。
【００２８】
この徘徊報知システムの動作は次のようである。まず、骨伝導無線送受信機３２ごとに呼び出し動作形態が徘徊報知制御機３０のＩＤ情報記憶部３８に記憶されている。この情報は操作部３９の操作で記憶され、例えば図５の表図に示すように設定され記憶されている。
図５を具体的に説明すると、Ａ部は呼出設定内容を示し、呼出設定「子機１呼出」の場合、徘徊報知制御機３０から呼出操作した際に、全ての骨伝導無線送受信機３２の呼び出しが成される。また、呼出設定「子機２呼出」の場合、特定の骨伝導無線送受信機３２（ＩＤ２の骨伝導無線送受信機）と外部スピーカ３４から呼び出しが成される。尚、ここでは、個々の骨伝導無線送受信機３２にＩＤ１，ＩＤ２・・・の順で符号が付与されている。
【００２９】
一方、図５のＢ部は通過検知機３３のセンサ部５４が骨伝導無線送受信機３２の通過を検知した際の呼出動作設定の内容を示している。受信したＩＤ情報から通過した骨伝導無線送受信機３２を特定し、その骨伝導無線送受信機３２が上記ＩＤ１の場合、その骨伝導無線送受信機３２のみから呼び出しを掛ける。また、ＩＤ２の骨伝導無線送受信機３２の通過を検知したら、全ての骨伝導無線送受信機３２と外部スピーカ３４から呼び出しを掛けるよう動作するよう設定されている。
【００３０】
そして、通過検知機３３が骨伝導無線送受信機３２の通過を検知した際に、検知した骨伝導無線送受信機３２のみに呼出報知する設定となっている場合、徘徊報知制御機３０は、通過検知機３３が徘徊者３５を検知してから（図３に示す所定エリアＥを徘徊者３５が出てから）一定時間経過しても骨伝導無線送受信機３２を装着している徘徊者３５が所定エリア内に戻らないと判断したら、徘徊報知制御機３０が図示しない報知手段により報知動作する設定と成っている。
【００３１】
このように、徘徊者が所定のエリアから外れて徘徊するような場合を検知して徘徊を止めるように促すことが可能となり、看護師や介護者の負担を軽減できる。また、この呼び出しは対象となる徘徊者のみに対して実施可能であり、他の徘徊者や患者等が気づくことが無く、プライバシーの遵守や誤った認知を防ぐことができるし、深夜であっても実施できる。そして、聴力に障害のある患者および騒音下においても明瞭な報知を実施できる。
また、徘徊者に応じて報知動作を変更できるので、徘徊者の認知症等の状況に応じて夫々の徘徊者に適した対応が可能となり、管理者は対応し易くなる。
更に、徘徊者が所定エリアから出たままであることを管理者等に知らせるので、徘徊者を放置するような状況を防ぐことができる。
【００３２】
尚、上記徘徊報知制御機３０は、通過検知機３３が徘徊者３５の通過を検知したら呼出動作する構成となっているが、通過検知機３３のセンサ部５４が徘徊者３５の接近を検知するセンサであって、徘徊者３５が通過検知機３３へ接近したらそれを検知し徘徊者３５に呼び出しをかけても良く、同様に看護師や介護者の負担を軽減できる。
また、この徘徊報知システムは、上記図１に示すインターホン装置のインターホン親機に容易に組み込むことができ、通過検知機を加えることで図１のインターホン装置に徘徊報知システムとしての機能を持たせることができる。また、上記図２に示すナースコールシステムのナースコール親機を徘徊報知制御機とにも容易に組み込むことができ徘徊報知システムとすることができる。
【図面の簡単な説明】
【００３３】
【図１】本発明に係るインターホン装置の実施形態の一例を示す構成図である。
【図２】本発明に係るナースコールシステムの一例を示す構成図である。
【図３】本発明に係る徘徊報知システムの一例を示す構成図である。
【図４】図３の要部ブロック図である。
【図５】図３の徘徊報知制御機の設定内容の一例を示す表図である。
【符号の説明】
【００３４】
１・・インターホン子機、２・・インターホン親機、３・・無線送信機、４・・骨伝導無線受信機、６・・外部呼出装置、１０・・操作部（呼出設定手段）、１１・・記憶部（呼出記憶手段）、２０・・ナースコール子機、２１・・ナースコール親機、２４・・無線送信機、２５・・骨伝導無線受信機、３０・・徘徊報知制御機、３１・・無線送信機、３２・・骨伝導無線送受信機、３３・・通過検知機、３４・・外部スピーカ、３７・・制御機ＣＰＵ、３９・・操作部（呼出設定手段）、３８・・ＩＤ情報記憶部（呼出記憶手段）、４３・・無線送信回路、５１・・骨伝導スピーカ。
【図１】
2007150739.tif 000003
【図２】
2007150739.tif 000004
【図３】
2007150739.tif 000005
【図４】
2007150739.tif 000006
【図５】
2007150739.tif 000007